(57)【要約】【課題】複製が困難なコンパクトディスクを実現する。【解決手段】ディジタルオーディオデータがＣＩＲＣにより誤り訂正処理された後にＥＦＭ信号に変換された状態で記録された光ディスク記録媒体であって、保護しようとするトラックにおいて、１セクター乃至３セクターのＥＦＭ信号が本来とは異なるＥＦＭ信号に差し替えられて構成された、ことを特徴とする。この場合、再生装置側のＣＩＲＣの誤り訂正にて、差し替えられたＥＦＭ信号部分が誤りであると検知される。この誤りはＥＦＭ信号そのものが差し替えられたものによるため、訂正では対処できず、周囲の信号を参照した補間により処理される。このため、オーディオ機器での再生でもＣＤ−ＲＯＭドライブを用いたコンピュータ機器での再生でも音質を劣化させることはないが、コンピュータ機器を用いてコピーすることはできない。【選択図】　　　図１
2004127439.tif 000002
【特許請求の範囲】
【請求項１】
ディジタルオーディオデータがＣＩＲＣにより誤り訂正処理された後にＥＦＭ信号に変換された状態で記録された光ディスク記録媒体であって、
保護しようとするトラックにおいて、１セクター乃至３セクターのＥＦＭ信号が本来とは異なるＥＦＭ信号に差し替えられて構成された、
ことを特徴とする光ディスク記録媒体。
【請求項２】
ディジタルオーディオデータがＣＩＲＣにより誤り訂正処理された後にＥＦＭ信号に変換された状態で記録された光ディスク記録媒体であって、
保護しようとするトラックにおいて、該トラック内に設けられたインデックス同士の間隔が１セクター乃至３セクターとなる部分を含むように構成された、
ことを特徴とする光ディスク記録媒体。
【請求項３】
ディジタルオーディオデータがＣＩＲＣにより誤り訂正処理された後にＥＦＭ信号に変換された状態で記録された光ディスク記録媒体の製造方法であって、
マスタリングの際に、保護しようとするトラックにおいて１セクター乃至３セクターのＥＦＭ信号を本来とは異なるＥＦＭ信号に差し替えた状態にして成型用金型を作成し、
前記成型用金型により光ディスク記録媒体を作成する、
ことを特徴とする光ディスク記録媒体製造方法。
【請求項４】
ディジタルオーディオデータがＣＩＲＣにより誤り訂正処理された後にＥＦＭ信号に変換された状態で記録された光ディスク記録媒体の製造方法であって、
マスタリングの際に、保護しようとするトラックにおいて、該トラック内に設けられたインデックス同士の間隔が１セクター乃至３セクターとなる部分を含むようにして成型用金型を作成し、
前記成型用金型により光ディスク記録媒体を作成する、
ことを特徴とする光ディスク記録媒体製造方法。
【発明の詳細な説明】
【０００１】
【発明の属する技術分野】
本発明はオーディオ用のコンパクトディスクなどの光ディスク記録媒体およびその製造方法に関し、特に、音質を劣化させない状態を保ちつつコピープロテクトに配慮された光ディスク記録媒体および光ディスク記録媒体製造方法に関する。
【０００２】
【従来の技術】
オーディオ機器で扱うことが可能な光ディスク記録媒体として、ＣＤ−ＤＡのコンパクトディスクが広く一般的に使用されている。
【０００３】
このコンパクトディスクは、コンピュータ機器のＣＤ−ＲＯＭドライブによってデータを読み取り、読み取ったデータをＣＤ−Ｒドライブ（ＣＤ−ＲＷドライブ）によりＣＤ−Ｒディスク（ＣＤ−ＲＷディスク）に書き込みを行うことで、元となるコンパクトディスクとディジタル的に内容が同一なコピー（クローン）を作成することが容易に行える。
【０００４】
このようなコピー作成を防止する技術として、この出願の発明に関連する先行技術としては、イスラエルのＭｉｄｂａｒ　Ｔｅｃｈ社が開発したＣＤＳ（Ｃａｃｔｕｓ　Ｄａｔａ　Ｓｈｉｅｌｄ）と呼ばれる方式がいくつかの会社により採用されている。
【０００５】
このＣＤＳ方式では、通常のＣＤ−ＤＡのディジタルオーディオデータの他に、コンピュータ機器用の音楽再生ソフトと、該音楽再生ソフト用の圧縮ディジタルデータとが記録されている。
【０００６】
そして、ＣＤ−ＲＯＭドライブにて該ディスクを再生しようとした場合には、ＣＤ−ＤＡのディジタルオーディオデータではなく、音楽再生ソフトによって圧縮ディジタルデータが自動的に再生されるように構成されている。
【０００７】
そのほか、ＴＯＣの部分を正常でない状態にしておいて、ＣＤ−ＲＯＭドライブとＣＤ−Ｒドライブとを用いてコピーしようとした場合に、読み取り側のＣＤ−ＲＯＭドライブにエラーを発生させる方式もある。
【０００８】
さらに、ＥＦＭ信号を別の信号に置き換える技術もあるが、ディスク面からその部分が明らかにわかったり、再生装置の光ピックアップが正常にトラッキングできないなどの別の問題を生じる。
【０００９】
また、この出願の発明に関連する先行技術文献情報として、別の技術であるが、次の特許文献１のようなものもある。
【００１０】
【特許文献１】
特表平１１−５０７１６０号（第２頁、図２）
【００１１】
【発明が解決しようとする課題】
以上のようなＣＤＳ方式によってコピープロテクトを施されたディスクは、コンパクトディスクの規格を定めたレッドブックに規定されているものからは逸脱している。そのため、正式には、「コンパクトディスク」と呼ぶことができないものである。
【００１２】
また、元来はコンピュータ機器用であったＣＤ−ＲＯＭドライブをメカ部分に使用している一部のカーオーディオ機器やポータブルタイプのＣＤプレーヤなどでは再生を行うことができないといった不具合が生じる。
【００１３】
また、コンピュータ機器において再生を行う場合には、圧縮データによるため、音質が極めて悪いという問題が生じている。
【００１４】
本発明は、オーディオ機器での再生でもＣＤ−ＲＯＭドライブを用いたコンピュータ機器での再生でも音質を劣化させない状態を保ちつつ、ＣＤ−ＲＯＭドライブを用いたコンピュータ機器を用いたコピーを抑止することが可能な光ディスク記録媒体および光ディスク記録媒体製造方法に関する。
【００１５】
【課題を解決するための手段】
本件出願の発明者は、コンパクトディスクの通常の再生とコピーとの関係を鋭意研究し、オーディオ機器だけでなくコンピュータ機器を用いた通常の再生には影響を与えず、コンピュータ機器を用いたコピーに対しては抑止力を有する新たな方式を見いだした。
【００１６】
すなわち、上述した不具合を解決する手段としての本発明は以下に述べるようなものである。なお、本発明で使用される用語として、ＣＩＲＣはＣｒｏｓｓ　Ｉｎｔｅｒｌｅａｖｅ　Ｒｅｅｄ−ｓｏｌｏｍｏｎ　Ｃｏｄｅの略であり、ＥＦＭはＥｉｇｈｔ　ｔｏ　Ｆｏｕｒｔｅｅｎ　Ｍｏｄｕｌａｔｉｏｎの略である。
【００１７】
（１）請求項１記載の発明は、ディジタルオーディオデータがＣＩＲＣにより誤り訂正処理された後にＥＦＭ信号に変換された状態で記録された光ディスク記録媒体であって、保護しようとするトラックにおいて、１セクター乃至３セクターのＥＦＭ信号が本来とは異なるＥＦＭ信号に差し替えられて構成された、ことを特徴とする光ディスク記録媒体である。
【００１８】
また、請求項３記載の発明は、ディジタルオーディオデータがＣＩＲＣにより誤り訂正処理された後にＥＦＭ信号に変換された状態で記録された光ディスク記録媒体の製造方法であって、マスタリングの際に、保護しようとするトラックにおいて１セクター乃至３セクターのＥＦＭ信号を本来とは異なるＥＦＭ信号に差し替えた状態にして成型用金型を作成し、前記成型用金型により光ディスク記録媒体を作成する、ことを特徴とする光ディスク記録媒体製造方法である。
【００１９】
なお、以上の１セクター乃至３セクターのＥＦＭ信号の差し替えは、コピーを抑止しようとするトラックにおいて、１トラックあたり最低１箇所行えばよく、１トラックあたり複数箇所で行ってもよい。
【００２０】
なお、セクターとは、データの区画のことであり、コンパクトディスクではデータはセクター単位でまとめられている。このセクターは、ヘッダ、同期情報、ユーザデータ、エラー検出コード、エラー訂正コード、制御情報を含んでおり、ブロックあるいはフレームとも呼ばれることがある。
【００２１】
これらの発明では、コンパクトディスクなどのオーディオ用の光ディスク記録媒体を製造する際のマスタリングにおいて、ディジタルオーディオデータがＣＩＲＣにより誤り訂正処理された後にＥＦＭ信号に変換された状態にて、保護（コピープロテクト）しようとするトラックで、１セクター乃至３セクターのＥＦＭ信号を本来とは異なるＥＦＭ信号に差し替え、その状態で成型用金型を作成し、その成型用金型により光ディスク記録媒体を作成する。
【００２２】
このようにして１乃至３セクターのＥＦＭ信号が差し替えられたトラックにおいては、再生装置側のＣＩＲＣの誤り訂正にて、差し替えられたＥＦＭ信号部分が誤りであると検知される。この誤りはＥＦＭ信号そのものが差し替えられたものによるため、訂正では対処できず、周囲の信号を参照した補間により処理される。このため、オーディオ機器での再生でもＣＤ−ＲＯＭドライブを用いたコンピュータ機器での再生でも音質を劣化させることはない。
【００２３】
一方、ＣＤ−ＲＯＭドライブとＣＤ−Ｒドライブとを用いたコピーを行おうとすると、１乃至３セクターのＥＦＭ信号が差し替えられたトラックにおいては、ＣＤ−Ｒドライブでの読み取りにエラーが発生する。すなわち、読み取り装置側の誤り訂正にて、差し替えられたＥＦＭ信号部分が誤りであると検知される。この誤りはＥＦＭ信号そのものが差し替えられたものによるため、訂正では対処できず、致命的なエラーとなり、正常にコピーすることができなくなる。
【００２４】
なお、本願発明では、本来のＥＦＭ信号を別のＥＦＭ信号に差し替えているため、光ディスク記録媒体を観察することによっては、どの部分にプロテクトがかかっているのかを識別することができない。さらに、差し替えられた部分もＥＦＭ信号であるため、再生装置の光ピックアップにおいてトラッキングの問題を生じることはない。
【００２５】
すなわち、オーディオ機器での再生でもＣＤ−ＲＯＭドライブを用いたコンピュータ機器での再生でも音質を劣化させない状態を保ちつつ、コンピュータ機器を用いたコピーを抑止することが可能な光ディスク記録媒体および光ディスク記録媒体製造方法を実現できる。
【００２６】
（２）請求項２記載の発明は、ディジタルオーディオデータがＣＩＲＣにより誤り訂正処理された後にＥＦＭ信号に変換された状態で記録された光ディスク記録媒体であって、保護しようとするトラックにおいて、該トラック内に設けられたインデックス同士の間隔が１セクター乃至３セクターとなる部分を含むように構成された、ことを特徴とする光ディスク記録媒体である。
【００２７】
また、請求項４記載の発明は、ディジタルオーディオデータがＣＩＲＣにより誤り訂正処理された後にＥＦＭ信号に変換された状態で記録された光ディスク記録媒体の製造方法であって、マスタリングの際に、保護しようとするトラックにおいて、該トラック内に設けられたインデックス同士の間隔が１セクター乃至３セクターとなる部分を含むようにして成型用金型を作成し、前記成型用金型により光ディスク記録媒体を作成する、ことを特徴とする光ディスク記録媒体製造方法である。
【００２８】
なお、以上の１セクター乃至３セクターとなるインデックスの付与は、コピーを抑止しようとするトラックにおいて、１トラックあたり最低１箇所行えばよく、１トラックあたり複数箇所で行ってもよい。
【００２９】
なお、この発明において、「インデックス」とは、トラック内にある頭出しのできる場所のことであり、１トラック当たり最大９９のインデックスを付与することが可能である。
【００３０】
これらの発明では、コンパクトディスクなどのオーディオ用の光ディスク記録媒体を製造する際のマスタリングにおいて、保護しようとするトラックにおいて、該トラック内に設けられたインデックス同士の間隔が１セクター乃至３セクターとなる部分を含むようにし、その状態で成型用金型を作成し、その成型用金型により光ディスク記録媒体を作成する。
【００３１】
この場合、ＣＤ−ＤＡのディジタルオーディオデータとしては、何ら問題がないため、オーディオ機器での再生でもＣＤ−ＲＯＭドライブを用いたコンピュータ機器での再生でも音質を劣化させることはない。
【００３２】
なお、このようにインデックスの情報が３セクター以下の場合、本件出願の発明者が鋭意確認したところによれば、ＭＭＣ（ＭｕｌｔｉＭｅｄｉａＣｏｍｍａｎｄ）と呼ばれる共通コマンドにより制御されるＣＤ−Ｒ，ＣＤ−ＲＷドライブでは、対応することができないことが判明した。すなわち、コピーを作成する際に３セクター以下のインデックスの情報を含んだトラックではエラーが発生してしまう。
【００３３】
すなわち、ＣＤ−ＲＯＭドライブとＣＤ−Ｒドライブとを用いたコピーを行おうとすると、１乃至３セクターのインデックスの情報が存在するトラックにて、ＣＤ−ＲドライブあるいはＣＤ−ＲＷドライブで書き込みを行う際にエラーが発生して正常な状態のコピーを作成することが不可能になる。
【００３４】
なお、本願発明では、インデックスの情報を特定の状態にしているだけであるので、光ディスク記録媒体を観察することによっては、どの部分にプロテクトがかかっているのかを識別することができない。さらに、ＥＦＭ信号としては何ら変更を加えていないため、再生装置の光ピックアップにおいてトラッキングの問題を生じることはない。
【００３５】
すなわち、オーディオ機器での再生でもＣＤ−ＲＯＭドライブを用いたコンピュータ機器での再生でも音質を劣化させない状態を保ちつつ、コンピュータ機器を用いたコピーを抑止することが可能な光ディスク記録媒体および光ディスク記録媒体製造方法を実現できる。
【００３６】
【発明の実施の形態】
以下に、本発明の実施の形態例を詳細に説明する。なお、以下に説明する実施の形態例では、光ディスク記録媒体の具体例として、ＣＤ−ＤＡのディジタルオーディオデータが記録されたオーディオ用のコンパクトディスクについて説明を行う。
【００３７】
〈第１の実施の形態例〉
図１は本願発明の第１の実施の形態例によりコンパクトディスクを成形製造する様子を概略的に示した模式図である。
【００３８】
この図１において、１０ａはエンコーダであり、ＣＤ−ＤＡのディジタルオーディオデータを受けて、ＣＩＲＣ（Ｃｒｏｓｓ　Ｉｎｔｅｒｌｅａｖｅ　Ｒｅｅｄ−ｓｏｌｏｍｏｎ　Ｃｏｄｅ）により記録系の誤り訂正処理を行った後に、ＥＦＭ（Ｅｉｇｈｔ　ｔｏ　Ｆｏｕｒｔｅｅｎ　Ｍｏｄｕｌａｔｉｏｎ）信号に変換することで、最終的にコンパクトディスクに記録するためのＣＤ記録用ディジタルデータを生成する。
【００３９】
１０ｂは上述したエンコーダ１０ａと同種のエンコーダであるが、信号入力無しの状態でＥＦＭ信号を生成している。なお、エンコーダ１０ｂはエンコーダ１０ａとは異なる値のＥＦＭ信号を発生するものであればよい。
【００４０】
２０は制御部であり、マスタリングの際にディジタルオーディオデータがＣＩＲＣにより誤り訂正処理された後にＥＦＭ信号に変換された状態にて、保護（コピープロテクト）しようとするトラックで、１セクター乃至３セクターのＥＦＭ信号を本来のＥＦＭ信号（エンコーダ１０ａからのＥＦＭ信号）とは異なるＥＦＭ信号（エンコーダ１０ｂからのＥＦＭ信号）に差し替えるための切り替え制御を行う。
【００４１】
なお、セクターとは、データの区画のことであり、コンパクトディスクではデータはセクター単位でまとめられている。このセクターは、ヘッダ、同期情報、ユーザデータ、エラー検出コード、エラー訂正コード、制御情報を含んでおり、ブロックあるいはフレームとも呼ばれることがある。
【００４２】
２２は切り替えを行う切替部であり、制御部２０の制御に基づいて、通常状態であるエンコーダ１０ａからのＥＦＭ信号と、エンコーダ１０ｂからのＥＦＭ信号とを切り替える。
【００４３】
３０は切替部２２で切り替えられた状態のＣＤ記録用ディジタルデータのデータ（ＥＦＭ信号）に基づいて成型用金型を作成する成型用金型作成装置であり、コンパクトディスクを成形製造するためのマスターとなる成型用金型（スタンパ）４０を作成するものである。この成型用金型作成装置３０は、金型作成部３１と操作部３２とを備えて構成されている。
【００４４】
すなわち、上述したようにエンコーダ１０ａでディジタルオーディオデータから生成されたＣＤ記録用ディジタルデータ（ＥＦＭ信号）によって成型用金型作成装置３０でスタンパ４０を作成する場合、制御部２０はエンコーダ１０からの時刻データを監視しており、通常時には切替部２２は制御部２０からの制御信号に従って、エンコーダ１０ａからのディジタルデータを成型用金型作成装置３０に伝えている。
【００４５】
また、制御部２０の時刻データの監視によって、コピーを抑止するトラックにおける所定のタイミングでは、切替部２２は制御部２０からの制御信号を受けてエンコーダ１０ｂからのＥＦＭ信号を１セクター乃至３セクターだけ、成型用金型作成装置３０に出力する。
【００４６】
このエンコーダ１０ｂからのＥＦＭ信号は、ディジタルオーディオデータから生成された本来のＥＦＭ信号（エンコーダ１０ａからのＥＦＭ信号）とは異なるＥＦＭ信号であることを意味している。
【００４７】
なお、１曲の音楽は１つのトラックとしてコンパクトディスクに記録されるため、コピーを抑止しようとする曲のトラックのいずれかの位置で、以上のＥＦＭ信号の差し替えを行えばよい。
【００４８】
そして、制御部２０はエンコーダ１０からの時刻データを監視により、１セクタ乃至３セクタのＥＦＭ信号の差し替えが終了した時点で、切替部２２を通常の状態に戻す。このようにして、エンコーダ１０ａとエンコーダ１０ｂからのＥＦＭ信号をＣＤ記録用ディジタルデータとしてを成型用金型作成装置３０に伝える。
【００４９】
なお、以上の１セクター乃至３セクターのＥＦＭ信号の差し替えは、コピーを抑止しようとするトラックにおいて、１トラックあたり最低１箇所行えばよく、１トラックあたり複数箇所で行ってもよい。
【００５０】
このように制御部２０によって切替部２２の切替状態を制御し、通常のエンコーダ１０ａからのＥＦＭ信号とエンコーダ１０ｂからのＥＦＭ信号とを切り替えることで、成型用金型作成装置３０ではコピー抑止力を有するコンパクトディスクを作成するためのスタンパ４０を作成する。
【００５１】
そして、以上のようにしてスタンパ４０が作成された後、ＣＤ成形装置５０は前述したスタンパ４０を用いて通常と同じ手順によりコンパクトディスク６０を成形製造する。
【００５２】
以上のような実施の形態例により作成されたコンパクトディスクをオーディオ機器のＣＤプレーヤもしくはコンピュータ機器のＣＤ−ＲＯＭドライブなど（以下、再生装置）で再生しようとした場合、再生装置側でＥＦＭ復調により１４ビット毎のデータを８ビットに戻し、さらに、再生系のＣＩＲＣにより誤り訂正を行った後に、Ｄ−Ａ変換器でＤ−Ａ変換する。
【００５３】
この際に、以上のようにして１乃至３セクターのＥＦＭ信号が差し替えられたトラックにおいては、再生装置側のＣＩＲＣの誤り訂正にて、差し替えられたＥＦＭ信号部分が誤りであると検知される。この誤りはＥＦＭ信号そのものが差し替えられたものによるため、訂正では対処できず、周囲の信号を参照した補間により処理される。このように、ＥＦＭ信号が差し替えられた部分でもＣＩＲＣの補間によって処理されるため、オーディオ機器での再生でもＣＤ−ＲＯＭドライブを用いたコンピュータ機器での再生でも、音質を劣化させることはなく通常通りに再生が実行される。
【００５４】
一方、ＣＤ−ＲＯＭドライブとＣＤ−Ｒドライブとを用いたコピーを行おうとすると、１乃至３セクターのＥＦＭ信号が差し替えられたトラックにおいては、ＣＤ−Ｒドライブでの読み取りにエラーが発生する。すなわち、読み取り装置側の誤り訂正にて、差し替えられたＥＦＭ信号部分が誤りであると検知される。この誤りはＥＦＭ信号そのものが差し替えられたものによるため、訂正では対処できず、致命的なエラーとなり、正常にコピーすることができなくなる。なお、この場合はディジタルデータのコピーであるため、ＣＤプレーヤの場合のＣＩＲＣは適用されず、エラーのままとなる。
【００５５】
なお、第１の実施の形態例では、本来のエンコーダ１０ａからのＥＦＭ信号を、同種のエンコーダ１０ｂからの別のＥＦＭ信号に差し替えているため、コンパクトディスクの記録面では通常と全く同じ凹凸のトラックとなっており、コンパクトディスクを観察することによっては、どの部分にコピーを抑止するためのプロテクトがかかっているのかを識別することができない。すなわち、ハード的もしくはソフト的な対策によって第１の実施の形態例のコピープロテクトを解除することができない。
【００５６】
さらに、差し替えられた部分もＥＦＭ信号であるため、再生装置の光ピックアップにおいてトラッキングやシークの問題を生じることはない。
【００５７】
すなわち、第１の実施の形態例によれば、オーディオ機器での再生でもＣＤ−ＲＯＭドライブを用いたコンピュータ機器での再生でも音質を劣化させない状態を保ちつつ、コンピュータ機器を用いたコピーを有効に抑止することが可能になる。
【００５８】
〈第２の実施の形態例〉
図２は本願発明の第２の実施の形態例によりコンパクトディスクを成形製造する様子を概略的に示した模式図である。
【００５９】
この図２において、１０はエンコーダであり、ＣＤ−ＤＡのディジタルオーディオデータを受けて、ＣＩＲＣ（Ｃｒｏｓｓ　Ｉｎｔｅｒｌｅａｖｅ　Ｒｅｅｄ−ｓｏｌｏｍｏｎ　Ｃｏｄｅ）により記録系の誤り訂正処理を行った後に、ＥＦＭ（Ｅｉｇｈｔ　ｔｏ　Ｆｏｕｒｔｅｅｎ　Ｍｏｄｕｌａｔｉｏｎ）信号に変換することで、最終的にコンパクトディスクに記録するためのＣＤ記録用ディジタルデータを生成する。
【００６０】
２０は制御部であり、マスタリングの際にディジタルオーディオデータがＣＩＲＣにより誤り訂正処理された後にＥＦＭ信号を生成する過程で、保護しようとするトラックにおいて、該トラック内に設けられたインデックス同士の間隔が１セクター乃至３セクターとなる部分を含むような、インデックスの付与の制御を行う。
【００６１】
なお、この実施の形態例において、「インデックス」とは、トラック内にある頭出しのできる場所のことであり、１トラック当たり最大９９のインデックスを付与することが可能である。
【００６２】
すなわち、この第２の実施の形態例においては、あるインデックスから次のインデックスまでの間が１セクター乃至３セクターとなるように、インデックスの付与を実行する。
【００６３】
３０はエンコーダ１０からのＣＤ記録用ディジタルデータのデータ（ＥＦＭ信号）に基づいて成型用金型を作成する成型用金型作成装置であり、コンパクトディスクを成形製造するためのマスターとなる成型用金型（スタンパ）４０を作成するものである。この成型用金型作成装置３０は、金型作成部３１と操作部３２とを備えて構成されている。
【００６４】
すなわち、上述したようにエンコーダ１０でディジタルオーディオデータから生成されたＣＤ記録用ディジタルデータ（ＥＦＭ信号）によって成型用金型作成装置３０でスタンパ４０を作成する場合、制御部２０はエンコーダ１０からの時刻データを監視しており、通常時には通常のインデックスの付与を行っており、エンコーダ１０からのディジタルデータを成型用金型作成装置３０にそのまま伝えている。
【００６５】
また、制御部２０の時刻データの監視によって、コピーを抑止するトラックにおける所定のタイミングでは、あるインデックスから次のインデックスまでの間が１セクター乃至３セクターとなるように、インデックスの付与を実行した状態のＣＤ記録用ディジタルデータを、成型用金型作成装置３０に出力する。
【００６６】
なお、１曲の音楽は１つのトラックとしてコンパクトディスクに記録されるため、コピーを抑止しようとする曲のトラックのいずれかの位置で、以上のインデックスの付与を行えばよい。
【００６７】
なお、以上の１セクター乃至３セクターとなるインデックスの付与は、コピーを抑止しようとするトラックにおいて、１トラックあたり最低１箇所行えばよく、１トラックあたり複数箇所で行ってもよい。
【００６８】
このように制御部２０によってインデックスの付与が行われた状態で、成型用金型作成装置３０ではコピー抑止力を有するコンパクトディスクを作成するためのスタンパ４０を作成する。
【００６９】
そして、以上のようにしてスタンパ４０が作成された後、ＣＤ成形装置５０は前述したスタンパ４０を用いて通常と同じ手順によりコンパクトディスク６０を成形製造する。
【００７０】
以上のような実施の形態例により作成されたコンパクトディスクをオーディオ機器のＣＤプレーヤもしくはコンピュータ機器のＣＤ−ＲＯＭドライブなど（以下、再生装置）で再生しようとした場合、再生装置側でＥＦＭ復調により１４ビット毎のデータを８ビットに戻し、さらに、再生系のＣＩＲＣにより誤り訂正を行った後に、Ｄ−Ａ変換器でＤ−Ａ変換する。
【００７１】
この場合、ＣＤ−ＤＡのディジタルオーディオデータとしては何ら問題がないため、オーディオ機器での再生でもＣＤ−ＲＯＭドライブを用いたコンピュータ機器での再生でも、音質を劣化させることはなく通常通りに再生が実行される。
【００７２】
一方、ＣＤ−ＲＯＭドライブとＣＤ−Ｒドライブとを用いたコピーを行おうとすると、一般的なＣＤ−ＲドライブあるいはＣＤ−ＲＷドライブでは、対応することができず、コピーを作成する際に３セクター以下のインデックスの情報を含んだトラックではエラーが発生してしまう。
【００７３】
すなわち、このようにインデックスの情報が１セクター乃至３セクターの場合、本件出願の発明者が鋭意確認したところによれば、ＭＭＣ（ＭｕｌｔｉＭｅｄｉａＣｏｍｍａｎｄ）と呼ばれる共通コマンドにより制御されるＣＤ−Ｒ，ＣＤ−ＲＷドライブでは、対応することができないことが判明した。より詳しく説明すると、連続した長いデータには対応できるが、その連続した長いデータの中に単独の１〜３セクターのデータが入っていると、その１〜３セクターのデータを連続した長いデータと誤認してしまう特性を有している。このため、１〜３セクターのデータの部分はオリジナルと異なる長いでたらめなデータに化けてしまう。
【００７４】
すなわち、ＣＤ−ＲＯＭドライブとＣＤ−Ｒドライブ（あるいは、ＣＤ−ＲＷドライブ）とを用いたコピーを行おうとすると、１乃至３セクターのインデックスの情報が存在するトラックにて、ＣＤ−ＲドライブあるいはＣＤ−ＲＷドライブで書き込みを行う際にエラーが発生して正常な状態のコピーを作成することが不可能になる。
【００７５】
なお、この第２の実施の形態例では、コンパクトディスクに記録するＥＦＭ信号そのものには変更を加えていないため、コンパクトディスクの記録面では通常と全く同じ凹凸のトラックとなっており、コンパクトディスクを観察することによっては、どの部分にコピーを抑止するためのプロテクトがかかっているのかを識別することができない。すなわち、ハード的もしくはソフト的な対策によって第２の実施の形態例のコピープロテクトを解除することができない。
【００７６】
さらに、通常と同じＥＦＭ信号を用いているため、再生装置の光ピックアップにおいてトラッキングやシークの問題を生じることはない。
【００７７】
すなわち、第２の実施の形態例によれば、オーディオ機器での再生でもＣＤ−ＲＯＭドライブを用いたコンピュータ機器での再生でも音質を劣化させない状態を保ちつつ、コンピュータ機器を用いたコピーを有効に抑止することが可能になる。
【００７８】
【発明の効果】
以上実施の形態例と共に詳細に説明したように、この明細書記載の発明によれば以下のような効果が得られる。
【００７９】
（１）請求項１と請求項３とに記載の発明では、コンパクトディスクなどのオーディオ用の光ディスク記録媒体を製造する際のマスタリングにおいて、ディジタルオーディオデータがＣＩＲＣにより誤り訂正処理された後にＥＦＭ信号に変換された状態にて、保護（コピープロテクト）しようとするトラックで、１セクター乃至３セクターのＥＦＭ信号を本来とは異なるＥＦＭ信号に差し替え、その状態で成型用金型を作成し、その成型用金型により光ディスク記録媒体を作成する。
【００８０】
このようにして１乃至３セクターのＥＦＭ信号が差し替えられたトラックにおいては、再生装置側のＣＩＲＣの誤り訂正にて、差し替えられたＥＦＭ信号部分が誤りであると検知される。この誤りはＥＦＭ信号そのものが差し替えられたものによるため、訂正では対処できず、周囲の信号を参照した補間により処理される。このため、オーディオ機器での再生でもＣＤ−ＲＯＭドライブを用いたコンピュータ機器での再生でも音質を劣化させることはない。
【００８１】
一方、ＣＤ−ＲＯＭドライブとＣＤ−Ｒドライブとを用いたコピーを行おうとすると、１乃至３セクターのＥＦＭ信号が差し替えられたトラックにおいては、ＣＤ−Ｒドライブでの読み取りにエラーが発生する。すなわち、読み取り装置側の誤り訂正にて、差し替えられたＥＦＭ信号部分が誤りであると検知される。この誤りはＥＦＭ信号そのものが差し替えられたものによるため、訂正では対処できず、致命的なエラーとなり、正常にコピーすることができなくなる。
【００８２】
すなわち、オーディオ機器での再生でもＣＤ−ＲＯＭドライブを用いたコンピュータ機器での再生でも音質を劣化させない状態を保ちつつ、コンピュータ機器を用いたコピーを抑止することが可能な光ディスク記録媒体および光ディスク記録媒体製造方法を実現できる。
【００８３】
（２）請求項２と請求項４とに記載の発明では、コンパクトディスクなどのオーディオ用の光ディスク記録媒体を製造する際のマスタリングにおいて、保護しようとするトラックにおいて、該トラック内に設けられたインデックス同士の間隔が１セクター乃至３セクターとなる部分を含むようにし、その状態で成型用金型を作成し、その成型用金型により光ディスク記録媒体を作成する。
【００８４】
この場合、ＣＤ−ＤＡのディジタルオーディオデータとしては、何ら問題がないため、オーディオ機器での再生でもＣＤ−ＲＯＭドライブを用いたコンピュータ機器での再生でも音質を劣化させることはない。
【００８５】
なお、このようにインデックスの情報が３セクター以下の場合、共通コマンドにより制御されるＣＤ−Ｒ，ＣＤ−ＲＷドライブでは、対応することができないことが判明した。すなわち、コピーを作成する際に３セクター以下のインデックスの情報を含んだトラックではエラーが発生してしまう。
【００８６】
すなわち、ＣＤ−ＲＯＭドライブとＣＤ−Ｒドライブとを用いたコピーを行おうとすると、１乃至３セクターのインデックスの情報が存在するトラックにて、ＣＤ−ＲドライブあるいはＣＤ−ＲＷドライブで書き込みを行う際にエラーが発生して正常な状態のコピーを作成することが不可能になる。
【００８７】
すなわち、オーディオ機器での再生でもＣＤ−ＲＯＭドライブを用いたコンピュータ機器での再生でも音質を劣化させない状態を保ちつつ、コンピュータ機器を用いたコピーを抑止することが可能な光ディスク記録媒体および光ディスク記録媒体製造方法を実現できる。
【図面の簡単な説明】
【図１】本発明の第１の実施の形態例の光ディスク記録媒体を製造する製造装置の全体の様子を示す構成図である。
【図２】本発明の第１の実施の形態例の光ディスク記録媒体を製造する製造装置の全体の様子を示す構成図である。
【符号の説明】
１０ａ　エンコーダ
１０ｂ　エンコーダ
１１　データファイル
２０　制御部
２２　切替部
３０　成型用金型作成装置
４０　スタンパ
５０　ＣＤ成形装置
６０　コンパクトディスク
【図１】
2004127439.tif 000003
【図２】
2004127439.tif 000004